(57)【要約】【課題】  構築物の壁面に対して面一に格納できる引き戸を提供する。【解決手段】  構築物の開口部に用いる枠１３と引き戸１８Ａの組み合わせに、旋回移動装置１９Ａと横移動装置２０Ａとからなる開閉装置を加えた。  旋回移動装置は、枠内側１７の閉鎖時には横移動装置と引き戸を壁１１面と面一に格納し、開放時には壁面上に突出せしめる隠見機能を備える。  横移動装置は、壁面上に突出した引き戸が移動して枠１３の内側を開閉する際に、引き戸の動きに連動して外軌道４３から内軌道４４が出入りする伸縮軌道を備え、壁面に対する引き戸の下端５８の振れ止めと案内機能を備える。  両装置の間にはトグル機構を設け旋回移動装置が速やかに旋回できるようにした。  両装置の働きで、閉鎖時に引き戸と開閉装置が壁面と面一に格納され、開放時に引き戸と開閉装置の一部を壁面から突出させ、引き戸を横方向に移動することができる。【選択図】        図９
2004324405.tif 000002
【特許請求の範囲】
【請求項１】
構築物の開口部に用いる枠と引き戸と開閉装置の組み合わせに於いて、
開閉装置が旋回移動装置（１９，１９Ａ，１９Ｂ）と横移動装置（２０，２０Ａ，２０
Ｂ）からなり、
旋回移動装置が、枠内側（１７）の閉鎖時には横移動装置付き引き戸（１８，１８Ａ，
１８Ｂ）を壁（１１）面と面一に格納し、開放時には壁面上に突出せしめる隠見機能を備え、
横移動装置が、壁面上に突出した引き戸の開閉時の移動に際し、引き戸の動きに連動し
て伸縮する軌道を備えた面一格納機能付き引き戸。
【請求項２】
構築物の開口部の使用する引き戸と開閉装置の組み合わせを一対とした両開き式で構成
した請求項１に記載の面一格納機能付き引き戸。
【請求項３】
構築物の開口部の使用する引き戸と開閉装置の組み合わせを片開き式で構成した請求項
１に記載の面一格納機能付き引き戸。
【請求項４】
旋回移動装置（１９，１９Ａ，１９Ｂ）が、該旋回移動装置の柱（２５）の上端に連結板（２２，２２Ａ）を下端に連結板（２４）を固定し、柱下端と受け座（２６）を回動自在に接続し、
柱上端から横方向に所要距離を採り配置した連結板（２８，２８Ａ）と該連結板の回転中心同士を固定板（２９）で回動自在に接続し、
上部連結板同士をリンク（３０）で接続して柱の動きを他方に伝えると共に、上部連結
板を引き戸の横移動装置（２０，２０Ａ，２０Ｂ）の接続に使用し、
柱を支える固定板を枠の構成材の上框（１４）に、受け座を枠の構成材の敷居（１５）
か床面に各々固定した請求項１から３の何れかに記載の面一格納機能付き引き戸。
【請求項５】
横移動装置（２０）が、外軌道（４３）に設けた座（４０）と旋回移動装置（１９）の
上部連結板（２２，２８）を回動自在に接続し、
外軌道に接続した柱（４５）の下端に設けた案内材（４８）と下部連結板（２４）を回動自在に接続して、引き戸（１８）の上端を内軌道（４４）に吊り下げ下端を案内材で受けることにより、
引き戸を移動して枠内側（１７）を開閉する際、引き戸の動きに追随して外軌道から内
軌道の出入りに呼応して、案内材が引き戸の振れ止めと案内を兼ねる請求項１から４の何れかに記載の面一格納機能付き引き戸。
【請求項６】
横移動装置（２０Ａ，２０Ｂ）が、外軌道（４３）に設けた座（４０）と旋回移動装置
（１９Ａ，１９Ｂ）の上部連結板（２２Ａ，２８Ａ）を回動自在に接続し、
下部連結板（２４）の上面に装着した回転体（５７）と引き戸（１８Ａ，１８Ｂ）の下
端（５８）の溝（５９）を嵌合せしめることにより、
引き戸を移動して枠内側（１７）を開閉する際、引き戸の動きに追随して外軌道から内
軌道の出入りに呼応して、回転体が引き戸の振れ止めと案内を兼ねる請求項１から４の何れかに記載の面一格納機能付き引き戸。
【請求項７】
旋回移動装置（１９Ａ，１９Ｂ）と横移動装置（２０Ａ，２０Ｂ）を連結板（２２Ａ，
２８Ａ）で接続する際に、
旋回移動装置と横移動装置の間に緊張したばね（５４）を装着して前記連結板にトグル
機能を付与し、連結板の旋回時の力と速度を高めた請求項１から４と６の何れかに記載の面一格納機能付き引き戸。
【請求項８】
引き戸（１８，１８Ａ，１８Ｂ）と旋回移動装置（１９Ａ，１９Ａ，１９Ｂ）と横移動
装置（２０，２０Ａ，２０Ｂ）をユニット化し、状況に応じて構成材を枠（１３）の内側に組み込む構造とした請求項１から７の何れかに記載の面一格納機能付き引き戸。
【発明の詳細な説明】
【技術分野】
【０００１】
本発明は、建物の開口部に使用する面一格納機能付き引き戸に関する。
【背景技術】
【０００２】
構造物には人と物の出入りを対象にした開口部とは別に、採光や換気を目的とする開口
部も多数設けられている。各開口部には目的に適う建具を取り付けて使用するが、通常、人と物の出入口には旋回式の扉や横移動式の引き戸が多用され、何れにも片開きと両開きの両方式がある。扉は開口部に取り付けた枠の一辺を支点として、開閉操作で枠から離れるように旋回し、枠内側の開口面積を有効に使用できる利点があるが、開閉方向に専用空間の確保が欠かせない。
【０００３】
引き戸は、図１（Ａ）〜（Ｄ）の片開き式（一枚）引き戸３か同図（Ｅ）〜（Ｈ）の両
開き式（二枚）引き戸６の組み合わせが多く使用される。何れの場合も枠４，７の中を引き戸５，８が横方向に動くだけで扉に比べると専有空間は小さい。然し、移動方向に引き戸の格納部分が必要になるため、枠の全内幅２に対する利用可能幅Ｗは、片開きと両開きの何れの引き戸も約１／２である。図中の矢印は引き戸の移動方向を示す。
【０００４】
扉（スイングドア）や引き戸（スライディングドア）に関してＪＩＳ規格がある。ドア
セットを見ると、図３に有効幅の押さえとして、スイングドア例とスライディングドア例の記載がある。サッシを見ると枠の内のり寸法として、付図１．１に木造住宅サッシ例が付図１．２にＲＣ造用スライディングドア例の記載がある。前２項の説明を合わせると両者と特徴が明確になる。
【非特許文献１】ＪＩＳ  Ａ４７０２  ドアセット  日本規格協会発行
【非特許文献２】ＪＩＳ  Ａ４７０６  サッシ      日本規格協会発行
【発明の開示】
【発明が解決しようとする課題】
【０００５】
扉は枠との収まりがよく機密性と操作性に優れる。引き戸は引き違い式で使用すること
が多く、枠の中で引き戸の厚み方向に段差が生ずるので、機密性が扉に劣るが操作性は悪くない。図１(Ａ）〜(Ｈ）の片開き式引き戸５と両開き式引き戸８のように、壁面１から枠４，７と引き戸が突出したり、引き戸と壁面の重なりが見えると、場所により強い違和感を与える他に使用勝手が悪くなる。このため壁に戸袋を設ける方法も採られているが、現場の作業量を増すので工事費が割り高になる。
【０００６】
人や物の出入口に使用する建具は、洋式住宅では扉、和式住宅では引き戸の使用が普通
であったが、和・洋折衷化が進むに従い引き戸は減り、機密性の高い扉の使用率が増加した。近年、高齢人口の増加と介護機材の進歩が住宅のバリヤフリー化を促進し、従来使用されていた扉に代わり、専有空間が少なく床面に溝等を要しない形式の引き戸の使用が増加し始めた。同時に、引き戸には外観と操作性の向上も強く求められるようになった。本願は、こうした課題に応える面一格納機能付き引き戸の提供を目的とする。
【課題を解決するための手段】
【０００７】
本発明は、構築物の開口部に用いる枠と引き戸と開閉装置の組み合わせに於いて、
開閉装置が旋回移動装置と横移動装置からなり、
旋回移動装置が、枠内側の閉鎖時には横移動装置付き引き戸を壁面と面一に格納し、開
放時には壁面上に突出せしめる隠見機能を備え、
横移動装置が、壁面上に突出した引き戸の開閉時の移動に際し、引き戸の動きに連動し
て伸縮する軌道を備えた面一格納機能付き引き戸である。
【発明の効果】
【０００８】
面一格納機能付き引き戸の使用により下記の効果を得た。
1)開閉時に、通常の引き違い戸と同様かより軽い力で操作できた。
2)壁面と面一にした枠内部に引き戸と開閉装置を格納したので、引き戸の格納時には間
仕切り壁表面の凹凸が少なくなり外見が向上した。
3)引き戸を開いた時に枠の内側に得られる開口面積は扉と同様に広く確保できようにな
り、然も、引き戸が飛び出すために枠の前か後の何れかに必要な専有容積も従来の引き戸
と大差ない。
4)工場生産に向く構造は規格化とユニット化を促進し、調達・製作・在庫・運搬・取付
等に関する諸管理が実施し易くなり、コスト低減に寄与し低価格の供給を可能とした。
5)面一格納機能付き引き戸は片開き式もしくは両開き式の何れにも適用できる。
6)故障の心配がなくメンテナンスレスの簡単な構造である。
7)住宅のバリヤフリーに貢献できる。
【発明を実施するための最良の形態】
【０００９】
本発明は、住宅等居住区画のバリアフリー化に好適で、外観と優れた操作性を備えた引
き戸に関する。引き戸は開口部に設置した後、閉鎖時には引き戸を壁面と面一に格納し、開放時には引き戸を壁面より突出させた後、壁面に沿い横方向に移動せしめる。また、引き戸を伸縮軌道から吊り下げると共に、引き戸の案内と振れ止め策を講じて下部軌道を省略して、従来工法では必要とした床面の凹凸をなくし、歩行や器具の移動に支障を来さぬ構造とした。
【００１０】
引き戸の開閉装置は旋回移動装置と横移動装置で構成し、枠に両装置を組み込み一体化
した構造で、同時に引き戸を組み込むことも可能である。旋回移動装置は、閉鎖時に軌道装置付き引き戸を壁面と面一に格納し、開放時に壁面上に突出せしめる隠見機能の役割を担う。横移動装置は、伸縮構造の軌道を内蔵して、壁面上に突出した引き戸を自由に移動する役割を担う。引き戸と開閉装置の動作に必要な操作力は通常の扉や引き戸に必要とする操作力と同程度である。
【００１１】
旋回移動装置は、柱上端と同下端に連結板を固定し、柱下端と受け座を回動自在に接続
する。柱上端から横方向に所要距離を採って連結板を配置し、上部の両連結板の回転中心同士と固定板の両端に設けた回転中心を回動自在に接続し両連結板の位置決めを行なう。柱の回転の動きを伝えるため上部の連結板同士をリンクで接続した。上部連結板同士を結ぶ固定板を枠構成材の上框に、柱の受け座を枠構成材の敷居か床面に各々固定した。
【００１２】
横移動装置の伸縮軌道は外軌道と内軌道で構成し、引き戸を吊り下げた内軌道が外軌道に沿い出入りする。旋回移動装置の上部連結板に外軌道表面に設けた座を回動自在に接続して吊り下げた。内軌道に吊り下げた引き戸の移動に呼応して、引き戸の下端を振れ止めを兼ねて案内する手段として、外軌道に柱を取り付け柱下端の案内材と旋回移動装置の下部連結板を回動自在に接続して引き戸を受けるか、下部連結板に装着した回転体と引き戸の下端に設けた溝を嵌合してもよい。
【００１３】
開閉装置が円滑に動く条件は、開時には旋回移動装置が所要位置に達して停止後に伸縮軌道が動いて引き戸が開き、伸縮軌道が収縮して引き戸が閉じた後に旋回移動装置が旋回を始めることである。中間では引き戸が枠や壁面に接触して開閉に支障を来す可能性がある。この原因は、横移動装置が滑らかに動く場合、旋回移動装置の旋回に時間が掛かると旋回時の回転力の影響を受けやすくなるためである。従って、装置の最初の動作が完了した後、次の装置の動作が始まる仕組みを取り付けることが望ましい。
【００１４】
仕組みは、横移動装置の伸縮軌道を構成する外軌道と内軌道間の摩擦に旋回移動装置に
必要な回転の力と時間が影響しないようにすることである。対策としては、第１に内軌道が動きださないように旋回移動装置を動かすこと、第２に旋回移動装置が所定位置まで旋回したとき横移動装置の伸縮軌道に付けた安全装置が解除される機構の追加、第３に旋回移動装置を素早く旋回する機構を追加して回転力の影響が横移動装置に及ばないようにすることである。本発明では、態様の一つに第３の対策に相当するトグル機構を装着して操作性を高め位置決めの確実性を向上した。
【００１５】
面一開閉機能付き引き戸の開閉操作は、外側から引き戸の引手を手前に引くか内側から
引き戸を押し、力を連結板とリンクを介して旋回移動装置に伝え、柱を回転して引き戸を壁面から突出させる。外軌道に沿い内軌道に吊り下げた引き戸を所要長さ押して開口部を開く。逆の操作は引き戸を押して内軌道を外軌道に格納し、引き戸を枠方向に押すと引き戸は枠内に戻り、壁面と面一となり閉鎖が完了する。引き戸は左と右の勝手違いを一対とする両開き式か左と右の何れか一枚の片開き式として使用する。旋回移動装置と横移動装置を複数に分割し、枠に組み込み易いようにユニット化すると、在庫・運搬・取付等に場所と手間を要しない。
【実施例１】
【００１６】
図２（Ａ，Ｂ）は片開き式の面一格納機能付き引き戸の上面図と正面図である。図３は
図２の分解斜視図である。図４（Ａ，Ｂ、Ｃ）は引き戸の基本動作図で、引き戸は壁１１面と面一であり、引き戸が壁面から突出し、枠１３の内幅Ｗを全開した各状態図である。図５（Ａ，Ｂ）は図４（Ａ，Ｂ）の各図の動きに相当する旋回移動装置の斜視図である。図６（Ａ，Ｂ，Ｃ）は図４（Ａ，Ｂ、Ｃ）の各図の動きに相当する横移動装置の斜視図である。
【００１７】
図２（Ａ，Ｂ），図３のように引き戸１８は、横移動装置２０に吊り下げられて動き、
旋回移動装置１９に接続された横移動装置は矢印方向に旋回する。引き戸と両装置で構成する開閉装置の全てもしくは一部を、予め、枠１３の内側に組み込んで置くと、壁１１の開口部に枠毎組み込むだけで組立が済んだり、現場の限られた場所で組み立てる場合も容易さが増すので、従来工法の戸袋等の現場造作に比較して組立手間が大幅に減り、外見と使い勝手も格段に向上した。
【００１８】
図４（Ａ，Ｂ，Ｃ）は面一格納機能付き引き戸の動作図で引き戸１８は矢印方向に動か
す。壁１１の開口部に固定した枠１３に納まり、壁面と面一の状態にある引き戸１８を、枠から離して壁面より突出させ、引き戸を動かすと枠内側１７が全開する。逆方向に操作すると引き戸は元の位置に戻る。引き戸の動きを図５（Ａ，Ｂ）の旋回移動装置１９と図６（Ａ，Ｂ，Ｃ）の横移動装置２０を使用して詳細に説明する。
【００１９】
図５（Ａ，Ｂ）の旋回移動装置１９は、柱上端２１に三角連結板２２を柱下端２３に連
結板２４を固定し、柱２５の下端と受け座２６との間にピボットヒンジ２７を挿入して回動自在に接続する。柱上端から横方向に所要距離を置いて同形同寸の三角連結板２８を配置して、各回転中心３１，３２を固定板２９で回動自在に接続する。上側に配置した両三角連結板の孔３３，３４を回動自在にリンク３０で接続し、柱側の三角連結板の動きを他方に伝える。
【００２０】
三角型の連結板２２，２８に残る孔３５，３６は、引き戸１８と横移動装置２０との接続に使用する。旋回移動装置１９に於ける主部材の柱２５は、図３の枠１３を構成する上框１４に接続した固定板２９と敷居１５に固定したピボットヒンジ内蔵の受け座２６の間で支える。上の三角連結板と下の連結板２４は同じ動きをする。旋回移動装置は枠の中に収まるように製作する。尚、敷居は構築物側の相当品を利用してもよく、ユニット化の必需構成品ではない。
【００２１】
図６（Ａ，Ｂ，Ｃ）の横移動装置２０は、［００１９］項以下で説明した三角型の連結
板２２，２８と接続する座４０を備え、各接続点４１，４２を回動自在に接続する。座の下面に引き戸１８を案内する外軌道４３を取り付ける。軌道の長さは引き戸の幅と移動代を考慮して決め、引き戸の動きにつれて少なくとも１本の内軌道４４が外軌道から容易に出入りして伸縮する構造である。
【００２２】
座４０を柱４５の上端４６に固定し、下端４７に引き戸１８下端の案内と旋回移動装置１９の下側連結板２４との接続を兼ねる案内材４８を取り付ける。座４０と旋回移動装置の三角連結板２２，２８、案内材と下側連結板を各々回動自在に接続する。図３に示すような、内軌道４４に金具４９で吊り下げた引き戸の引手５０を外側に引くか内側から押すと、力は引き戸から横移動装置２０を経て旋回移動装置に伝わり引き戸が壁面から突出する。
【００２３】
壁１１面から突出した引き戸１８を移動すると、内軌道４４が外軌道４３から迫り出し
て枠１３の内部を開放する。閉鎖時は引き戸を逆方向に動かし、内軌道を外軌道に収めると、旋回移動装置１９が旋回して引き戸は壁面と面一の状態に戻る。外軌道４３と内軌道４４を水平に保ってもよいが、予め、軌道が出入りする何れか方向に僅かな傾斜を与え、壁面から突出した引き戸付きが内軌道が自重で外軌道の中に戻り閉じるか、壁面から突出した引き戸付き内軌道が自重で外軌道から迫り出して開く仕組みとしてもよい。
【００２４】
傾斜の有無に関係なく伸縮軌道自体は動き易く造られるので、開閉操作を要しない時に
不用意に引き戸付き内軌道４３が移動しないように係止機構を設置して防止するのが望ましい。また、引き戸の上端を内軌道４４で、下端を案内材４８で振れ止めと案内を兼ね規制するので、引き戸と壁面の隙間が安定し円滑な開閉ができる。前記の振れ止めと案内は床面に接することなく設置できる他、床面に引き戸の溝を必要としないのでバリヤフリー向けの建具としても好適である。
【００２５】
既述のように、枠１３と引き戸１８並びに旋回移動装置１９と横移動装置２０からなる
開閉装置を分割してユニット化した在庫商品としておくと、現場の状況に応じ仮組した枠と引き戸及び開閉装置を迅速に供給することができる。構築物の開口部への取り付けは、通常の扉や引き戸の要領でよく特別な配慮を必要としない。現場調整も非常に簡単になる他、引き戸以外の装置の大部分は枠内に組み込んで隠すことができるので外見も優れたものになる。
【実施例２】
【００２６】
図７（Ａ，Ｂ）は、実施例１の片開き式の面一格納機能付き引き戸に勝手違いの面一格
納機能付き引き戸を組み合わせ、一対にした両開き式の格納機能付き引き戸５１の上面図と正面図である。一対をなす各引き戸は相手に関係なく開閉できる他、扉と同様に枠内側の開口部の有効利用が出来る。両開き式も片開き式と同様に、予め、枠に引き戸と開閉装置もしくは開閉装置を組み込み一体化できるので、取付や調整等の現場作業に必要な時間短縮に役立つ。得られる効果も実施例１と同じである。
【実施例３】
【００２７】
引き戸の基本動作は図４（Ａ，Ｂ、Ｃ）と同じである。図８（Ａ，Ｂ）は片開き式の面一格納機能付き引き戸の上面図と正面図である。図９は図８の分解斜視図である。図１０（Ａ，Ｂ，Ｃ）は開閉装置に装着したトグル機構のばねの動作図である。図１１は引き戸下辺に設けた案内と振れ止めの拡大側面図である。図１２（Ａ，Ｂ）は図４（Ａ，Ｂ）の各図の動きに相当する旋回移動装置である。図１３（Ａ，Ｂ，Ｃ）は図４（Ａ，Ｂ、Ｃ）の各図の動きに相当する横移動装置の各斜視図である。
【００２８】
本実施例と実施例１は構造に多くの共通点を備えるが、片開き式の面一格納機能付き引
き戸１２Ａの下辺の振れ止めを兼ねた案内構造が異なる。従って、共通点と得られる効果の説明は実施例１を引用し、本項以降は主に相違点について説明する。図８，９のように引き戸１８Ａを横移動装置２０Ａに吊り下げて、旋回移動装置１９Ａにより矢印方向に旋回する。旋回作業を素早く実施するために枠１３と旋回移動装置を構成するリンク３０の間にばね５４を付けトグル機能を付与する。
【００２９】
実施例１では、旋回移動装置の旋回中に横移動装置の動きを防止する係止機構の装着を
望ましいとした。本実施例は係止機構の装着に代え、旋回移動装置１９Ａにトグル機能を導入し、引き戸１８Ａ付き内軌道４４が動く前に旋回を完了させ目的を達成した。図１０（Ａ，Ｂ，Ｃ）を使用してトグル機能の説明をすると、図１０（Ａ）は枠内に横移動装置が格納された状態、図１０（Ｂ）は枠外に横移動装置が半分程出た状態、１０（Ｃ）は枠外に横移動装置が出た状態を示し、何れの状態も引き戸は動かない。
【００３０】
旋回中心３１，３２の回りに旋回する連結板２２Ａ，２８Ａは、孔３３，３４をリンク
３０で接続し、孔３５，３６に外軌道４３を介して引き戸１８Ａを吊り下げる。枠１３の任意の位置に固定支点ｄを取り、リンク上に可動支点ｅを置き、両支点間にばね５４を緊張する。緊張により生れる弾力を常時リンクに付勢するので、支点には水平と垂直の二方向に分力を生ずる。リンクを接続する連結板先端と旋回中心の距離で示されるアームが引き戸に対して傾斜すると、支点に分力によるモーメントが生じるので、垂直分が水平分を上回らないようにして自動旋回を防止する。
【００３１】
旋回中心３１，３２を結ぶ線上にある点ｃは可動支点ｅの仮想旋回中心に相当する。可
動支点ｅと固定支点ｃの間の距離（旋回半径Ｒ）と可動支点ｅとばね５４の旋回中心点ｄの間の距離（旋回半径Ｒ′）の関係をＲ＜Ｒ′に置く。連結板２２Ａ，２８Ａが旋回してばね５４の軸線が固定支点ｄと仮想旋回中心点ｃを結ぶｆ−ｆ線上に一致すると、モーメントは均衡する。連結板が更に旋回してｆ−ｆ線を超えるとモーメントの垂直分が水平分を上回り、連結板の旋回方向にばねの弾力が付与され素早く旋回する。連結板とばねの数は必要に応じて増やせばよい。
【００３２】
横移動装置２０Ａの外軌道４３から内軌道４４が出入りする際に、引き戸１８Ａの下端
５８が壁面方向に振れるのを防止するため、旋回移動装置１９Ａの柱２５に設けた下側連結板２４の先端の孔３７に、図１１に示すように直径が引き戸の厚み以下でベアリングの役をこなす回転体５７を連結板２４に回転自在に載置し、回転体と引き戸下端に設けた溝５９を嵌合して目的を果たすと共に案内の役目もこなす。
【００３３】
図１２（Ａ，Ｂ）の旋回移動装置１９Ａと図１３（Ａ，Ｂ，Ｃ）の横移動装置２０Ａの
各斜視図は、何れも図４（Ａ，Ｂ、Ｃ）の動きに相当する。実施例１，２の面一格納機能付き引き戸１２，５１では、柱４５下端の案内材４８が引き戸表面にあらわれるのに対して、片開き式の面一格納機能付き引き戸１２Ａでは、引き戸表面にあらわれるものがなく簡素化された外観になる。本実施例も振れ止めと案内が床面に接することはなく、床面に引き戸の溝を必要としない。
【実施例４】
【００３４】
図１４（Ａ，Ｂ）は、実施例３の片開き式の面一格納機能付き引き戸に勝手違いの面一
格納機能付き引き戸を組み合わせ、一対にした両開き式の格納機能付き引き戸５１Ａの上面図と正面図である。一対をなす各引き戸は相手に関係なく開閉できる他、扉と同様に枠内側の開口部の有効利用が出来る。実施例１，２の横移動装置２０の柱４５と案内材４８がなく実施例３と同様に外観が向上した。両開き式も片開き式と同様に、予め、枠に引き戸と開閉装置もしくは開閉装置を組み込み一体化できるので、取付や調整等の現場作業で得られる効果も他の実施例と同じである。
【実施例５】
【００３５】
図１５（Ａ，Ｂ）は、片開き式の面一格納機能付き引き戸１２Ｂで同図(Ｂ）のａ−ａ
線に沿う断面図と正面図である。基本構造は実施例４と同じで相違点を説明する。引き戸１８Ｂに旋回中心３１，３２と孔３３，３４を結んだアーム（旋回半径Ｒ）が直交するように連結板２２Ａ，２８Ａを取り付ける。旋回移動装置１９Ｂと横移動装置２０Ｂの構成材の相当部分が重なる他、柱２５を引き戸の横に置くことで装置の奥行きが縮小し、枠に占める開閉装置の格納容積が小さくなる。また、旋回前の旋回移動装置がばね５４から受けるモーメントは水平分だけでばねの位置決めも容易になる。他の効果は実施例３，４と符号Ｒ，Ｒ′，ｃ，ｄ，ｅ，ｆの役割も実施例４と同じである。
【図面の簡単な説明】
【００３６】
【図１】（Ａ，Ｂ，Ｃ，Ｄ）は戸袋内蔵型の引き戸と（Ｅ，Ｆ，Ｇ，Ｈ）は突出型で            何れも片・両開き式の引き戸の各基本動作図である。
【図２】（Ａ，Ｂ）は片開き式の面一格納機能付き引き戸の上面図と正面図である。            （実施例１）
【図３】図２の分解斜視図である。
【図４】（Ａ，Ｂ，Ｃ）は引き戸の基本動作図で、引き戸は壁面と面一であり、引き            戸が壁面から突出し、枠の内幅を全開した各状態図である。
【図５】（Ａ，Ｂ）は図４（Ａ，Ｂ）の各図の動きに相当する旋回移動装置の動作斜            視図である。
【図６】（Ａ，Ｂ，Ｃ）は図４（Ａ，Ｂ，Ｃ）の各図の動きに相当する横移動装置の            動作斜視図である。
【図７】（Ａ，Ｂ）は両開き式の面一格納機能付き引き戸の上面図と正面図である。            （実施例２）
【図８】（Ａ，Ｂ）は片開き式の面一格納機能付き引き戸の上面図と正面図である。            （実施例３）
【図９】図８の分解斜視図である。
【図１０】（Ａ，Ｂ）は図８（Ａ）の開閉装置に装着したトグル機構のばねの働作図              である。
【図１１】図１１は引き戸下辺に設けた振れ止めの側面図である。
【図１２】（Ａ，Ｂ）は図４（Ａ，Ｂ）の各図の動きに相当する旋回移動装置の動作              斜視図である。
【図１３】（Ａ，Ｂ，Ｃ）は図４（Ａ，Ｂ，Ｃ）の各図の動きに相当する横移動装置              の動作斜視図である。
【図１４】（Ａ，Ｂ）は、両開き式の面一格納機能付き引き戸の上面図と正面図であ              る。（実施例４）
【図１５】（Ａ，Ｂ）は、片開き式の面一格納機能付き引き戸の（Ｂ）のａ−ａ線に              沿う断面図と正面図である。（実施例５）
【符号の説明】
【００３７】
１２，１２Ａ，１２Ｂ  片開き式の面一格納機能付き引き戸
１３  枠
１８，１８Ａ，１８Ｂ  引き戸
１９，１９Ａ，１９Ｂ  旋回移動装置
２０，２０Ａ，２０Ｂ  横移動装置
２２，２２Ａ，２８，２８Ａ  連結板
２４  連結板
２５，４５  柱
２６  受け座
２９  固定板
３０  リンク
４０  座
４３  外軌道
４４  内軌道
４８  案内材
５１，５１Ａ  両開き式の面一格納機能付き引き戸
５４  ばね
５７  回転体
５８  下端（引き戸）
５９  溝
【図１５】
2004324405.tif 000003
【図１】
2004324405.tif 000004
【図２】
2004324405.tif 000005
【図３】
2004324405.tif 000006
【図４】
2004324405.tif 000007
【図５】
2004324405.tif 000008
【図６】
2004324405.tif 000009
【図７】
2004324405.tif 000010
【図８】
2004324405.tif 000011
【図９】
2004324405.tif 000012
【図１０】
2004324405.tif 000013
【図１１】
2004324405.tif 000014
【図１２】
2004324405.tif 000015
【図１３】
2004324405.tif 000016
【図１４】
2004324405.tif 000017